Podtech/llm-jp-corpus-v4-ja_patent huggingface dataset:
(57)【要約】【課題】珪藻土の多孔質体をもつ表面積の大きいのを特徴として持ち合わせた素材、乾式再生吸収技術を取り入れる事での素材は安価であり、安定供給が出来る。繰り返し使用可能とすることから費用体効果のある二酸化炭素削減剤。【解決手段】多孔質の珪藻土にアルカリ電解液を混合したものを担持吸着させ加熱することにより二酸化炭素が珪藻土の多孔質体に付着することで製造できることを特徴とする。【選択図】なし【特許請求の範囲】
【請求項１】
多孔質の珪藻土にアルカリ性電解液を混合し、担持付着させて加熱した二酸化炭素削減剤。
【請求項２】
乾式再生用二酸化炭素削減剤。
【請求項３】
珪藻土、ゼオライト、活性炭  、アルミナのいずれか、もしくは、これらの混合物からなることを特徴とする二酸化炭素削減剤。
【請求項４】
請求項１，２，３の二酸化炭素削減剤の処理後が燃料となる製造方法。
【発明の詳細な説明】
【技術分野】
【０００１】本発明は、地球温暖化の原因である二酸化炭素の削減剤の技術分野に属する。好ましくは、珪藻土の多孔質体の支持体にアルカリ性電解液担持を特徴とした天然素材の環境利用と産業利用。【０００２】乾式再生吸収技術を用いての二酸化炭素の削減に関する。
【背景技術】
【０００３】二酸化炭素を含むガスを回収する化学吸収法、物理吸着法は、大気に放出前の措置として実用化されている。【０００４】化学反応式の利用、物理利用において、大容量の排ガスから二酸化炭素の吸収、回収に費用対効果において困難である。
【発明の開示】
【発明が解決しようとする課題】
【０００５】現在、二酸化炭素を含むガスから二酸化炭素を回収する技術に満足を期待された実用技術は未完成である。用いられる吸着剤が化学製品である場合は、経済上および環境上の難点がある。【０００６】本発明は、大気中に排出される二酸化炭素を放出する前の削減技術に関するものである。【０００７】上記課題を鑑みるに、低コストと効率的な費用対効果面において二酸化炭素の削減技術とその方法により、環境保全に貢献できる天然素材の珪藻土を基材回収の提案を目的とする。
【課題を解決するための手段】
【０００８】多孔質体を基材とした珪藻土に、電解アルカリ性電解液を燃焼加熱することで細孔構造部分に二酸化炭素を回収することを特徴とする。【０００９】吸着剤となる本発明における機能は表面積の大きさが塩素二酸化炭素回収機能、高温耐久機能等その効果の活用を特徴とした。
【発明の効果】
【００１０】本発明は、珪藻土の多孔質物質細孔に担持が可能とし、素材の多孔質と表面積の大きさの特徴を活用とした。二酸化炭素を付着させる技術は高性能が発揮され、経済負担も少なく、しかも製造工程は特別な技術を要しないのが特徴。【００１１】本発明の吸着剤は、多孔質体にアルカリ性電解液を担持吸着させ加熱する方法であり、環境浄化に取り組むことができる。【００１２】多孔質体は埋蔵量の多い珪藻土を用いることから安定供給が可能であり、しかも安価である。【００１３】本発明の原料の素材成分は有害物質は発生しない。【００１４】本発明の製造技術は単純であり高度技術を要しない。しかも先進的な環境浄化に取組み社会に貢献する。
【発明を実施するための最良の形態】
【００１５】本発明の珪藻土を支持体にし、加熱によって製品となる。【００１６】支持体は、珪藻土、ゼオライト、活性炭、アルミナのいずれかもしくは、これらの混合物からなることを特徴とする。好ましくは、珪藻土は、秋田県北秋田市から産出される良質の多孔質珪藻土。ゼオライトは、秋田県能代市から産出の良質なゼオライトの使用は効果があがる。【００１７】多孔質体にアルカリ電解液を混合したものを担持吸着させることの単純さと合理的な成形が特徴。【００１８】この実施例については多孔質体の細孔構造や表面化学特性の部分に二酸化炭素を付着とした特異性の吸着剤であり、浄化装置に関する技術を特徴する。
【産業上の利用可能性】
【００１９】乾式再生吸収技術で二酸化炭素を吸収し、大気放出前に回収する回収方法。【００２０】珪藻土の支持体は高熱を加えると繰り返し使用可能を特徴とする。【００２１】大規模な燃焼設備工場や、環境に負荷を与える事業体からの二酸化炭素の大気排出による地球温暖化対策一環の取組みに関する。【００２２】環境の負荷を考慮した排気のボイラーや焼却炉、燃焼炉を同時活用することで第一段階の燃料としての熱量への利用や、第二段階の炭化済み素材を炉の高温化への利用、第三に燃焼残渣を再度二酸化炭素吸着剤として利用できる。
［書類名］
図書
【表１】
2011025215.tif 000002
【表２】
2011025215.tif 000003
(57)【要約】【課題】企業から排出される排煙の浄化技術を提供する。処理後のセラミック物質を活用することで、付加価値製品の創造を可能とし、製造操作が簡単であることを特徴とする。【解決手段】本発明によって、排煙浄化対策の高額な設備投資がおさえられ、比較的簡単な装置でもって、燃焼中の空気調製を高度技術開発により、燃焼効率の微調整を設けた。本提供によって、高付加価値のセラミック製造により、珪藻土の地域資源資材を活用することで、地域事業の育成と地域の産業開発となる。【選択図】なし【特許請求の範囲】
【請求項１】
二酸化炭素の浄化処理装置を工業加熱炉、焼成炉、乾燥炉等に直結した燃焼炉システムとし、必要に応じた成形珪藻土をベースとした環境浄化装置は、炎の回転を容易とするため円形としたことを特徴とした。
【請求項２】
炉内温度の急速冷却を防止するため製造装置をセラミック状の炭化層装置を設けたことを特徴とした。
【請求項３】
上記の燃焼炉装置から派生する環境浄化成形品の加工品製造を特徴とした。
【請求項４】
燃焼炉装置に環境浄化装置の取り付け操作が簡単に出来ることを特徴とした。
【請求項５】
燃焼炉に熱装置の配備による無煙化ならびに燃焼効率をはかった空気調部に微調整装置を付属させたことを特徴とした。
【発明の詳細な説明】
【技術分野】
【０００１】本発明は、排煙に含む二酸化炭素の浄化処理と加熱分解する製造装置に関する。安価な製造装置としての技術分野に関する。
【背景技術】
【０００２】従来より、工場排煙処理は未解決として大型装置での化学薬品は大気中に拡散、暴露によって、未発表の公害問題が危惧される。地球環境保全に関する諸問題は世界の重要議題にある。
【発明の開示】
【発明が解決しようとする課題】
【０００３】本発明は、植物の炭酸同化作用、炭素の固形化は、自然界の摂理が実施している。産業上の可能性を炭素の固形化の追求でもって工場排煙の抑制促進に取り組むものである。二酸化炭素の浄化処理の素材は、本発明によって、安定確保が出来、製造コストが安価で、安全性安心で安価に提供できる、規模の拡大によって大型化に対応出来る製造を可能とする。
【課題を解決するための手段】
【０００４】本発明においての装置は、珪藻土を主原料とし、粉砕によって適応形状に成形を備えることにより排煙の二酸化炭素に反応させ炭素の固形化技術で吸着を可能としたローコストな装置システムである。
【発明の効果】
【０００５】地球温暖化現象は、間接的に進行している。直接的な工場排煙処理は、直に周辺の環境汚染となっている。不完全燃焼の燃焼ガスの二酸化炭素は、有効活用によって要件が構成され燃料確保ができる。【０００６】本発明での成形物は二酸化炭素を充填にした簡易成形である。【０００７】珪藻土の植物組成，成分には、耐熱効果がある。資源の再利活用製品であるため、これらが二酸化炭素を吸収することにより再資源化を図られ、環境保全対策に有効である。【０００８】上記の硬化技術は、素材の硬化を多用途に活用できる原料としての有効活用に効果がある。
【発明を実施するための最良の形態】
【０００９】本発明は、炉内の底面、排煙システムに成形加工をなした珪藻土に丸ごと全面接触可能によっての二酸化炭素、有害除去を可能とするシステム構造の設置。【００１０】燃焼室は炎の回転を容易にするため円形にしたことを特徴とする。【００１１】鉄の特徴の着火温度を低くする触媒作用を利用する為、炉壁を鉄製にしたことを特徴とする。【００１２】燃焼速度を早くし急速に燃焼室内温度を高温にするため送風部分を特徴とする。【００１３】燃焼室内はダイオキシン発生を抑制させるため、炉内温度を急速冷却防止のため珪藻土セラミック状の炭化層からの熱カロリー無煙化装置に適合を可能にしたことを特徴とする。
【産業上の利用可能性】
【００１４】本発明は、工場排煙浄化によって、二酸化炭素が削減され、処理後のセラミック珪藻土は、環境浄化市場マーケットの市場に合った多様な素材提供ができる。【００１５】本発明は、二酸化炭素を固定化する技術の提供。二酸化炭素の削減がはかられ、環境が浄化される。